(57)【要約】【課題】操作の内容に基づき画像情報の表示制御の内容を変更する画像形成装置及び画像形成プログラムを提供する。【解決手段】画像形成装置１は、表示部１２に文字又は画像を表示する表示制御手段１００と、操作部１３に対する一連の操作を検出する操作検出手段１０１と、一連の操作の操作開始位置及び操作終了位置を判定する操作位置判定手段１０２と、一連の操作から表示部１２に表示される文字又は画像の移動量を決定するものであって、操作開始位置に基づいて表示部１２に表示される文字又は画像の移動量を変更し、表示制御手段１００が当該移動量に応じて表示部の表示を制御するための操作信号を生成する操作信号生成手段１０４とを有する。【選択図】図１
2015022480.tif 000002
【特許請求の範囲】
【請求項１】
表示部に文字又は画像を表示する表示制御手段と、
操作部に対する一連の操作を検出する操作検出手段と、
前記一連の操作の操作開始位置及び操作終了位置を判定する操作位置判定手段と、
前記一連の操作から前記表示部に表示される文字又は画像の移動量を決定するものであって、前記操作開始位置に基づいて前記表示部に表示される文字又は画像の移動量を変更する移動量変更手段と、
前記表示制御手段は、前記移動量変更手段による前記移動量に基づいて前記表示部に表示される文字又は画像の表示を制御する画像形成装置。
【請求項２】
前記表示部は、表示領域として文字又は画像を表示する第１の領域及び当該第１の領域と異なる第２の領域を有し、
前記移動量変更手段は、前記操作開始位置が前記第１の領域に対応する位置である場合に、前記操作開始位置と前記操作終了位置との間の軌跡に応じて前記表示部に表示される文字又は画像の移動量を決定し、前記操作開始位置が前記第２の領域に対応する位置である場合に、前記軌跡の定数倍に応じて前記表示部に表示される文字又は画像の移動量を決定する請求項１に記載の画像形成装置。
【請求項３】
前記表示制御手段は、前記一連の操作として、前記操作開始位置において予め定めた時間移動しない場合に、前記表示部の前記第１の領域及び前記第２の領域に文字又は画像を表示する請求項２に記載の画像形成装置。
【請求項４】
表示部及び操作部を備えたコンピュータを、
前記表示部に文字又は画像を表示する表示制御手段と、
前記操作部に対する一連の操作を検出する操作検出手段と、
前記一連の操作の操作開始位置及び操作終了位置を判定する操作位置判定手段と、
前記一連の操作から前記表示部に表示される文字又は画像の移動量を決定するものであって、前記操作開始位置に基づいて前記表示部に表示される文字又は画像の移動量を変更する移動量変更手段として機能させ、
前記表示制御手段は、前記移動量変更手段による前記移動量に基づいて前記表示部に表示される文字又は画像の表示を制御する画像形成プログラム。
【発明の詳細な説明】
【技術分野】
【０００１】
本発明は、画像形成装置及び画像形成プログラムに関する。
【背景技術】
【０００２】
従来の技術として、操作内容に基づいて画像情報の表示位置を移動する量を切り替える画像形成装置が提案されている（例えば、特許文献１参照）。
【０００３】
特許文献１に開示された画像形成装置は、画像情報が表示される表示部上に透明のタッチパッドが設けられたタッチパネル等の操作部において、なぞる操作（以下、「ドラッグ操作」という。）が行われた場合に、当該操作の始点から予め定めた範囲内に当該操作の終点がある場合には、始点から終点までの操作量に応じた分だけ画像情報の表示位置を移動し、当該操作の始点から予め定めた範囲外に当該操作の終点がある場合には、始点から終点までの操作量に応じた速度で画像情報の表示位置を移動し続ける。
【先行技術文献】
【特許文献】
【０００４】
【特許文献１】特開２０１２−３３０６１号公報
【発明の概要】
【発明が解決しようとする課題】
【０００５】
本発明の目的は、操作の内容に基づき画像情報の表示制御の内容を変更する画像形成装置及び画像形成プログラムを提供することにある。
【課題を解決するための手段】
【０００６】
本発明の一態様は、上記目的を達成するため、以下の画像形成装置及び画像形成プログラムを提供する。
【０００７】
［１］表示部に文字又は画像を表示する表示制御手段と、
操作部に対する一連の操作を検出する操作検出手段と、
前記一連の操作の操作開始位置及び操作終了位置を判定する操作位置判定手段と、
前記一連の操作から前記表示部に表示される文字又は画像の移動量を決定するものであって、前記操作開始位置に基づいて前記表示部に表示される文字又は画像の移動量を変更する移動量変更手段と、
前記表示制御手段は、前記移動量変更手段による前記移動量に基づいて前記表示部に表示される文字又は画像の表示を制御する画像形成装置。
【０００８】
［２］前記表示部は、表示領域として文字又は画像を表示する第１の領域及び当該第１の領域と異なる第２の領域を有し、
前記移動量変更手段は、前記操作開始位置が前記第１の領域に対応する位置である場合に、前記操作開始位置と前記操作終了位置との間の軌跡に応じて前記表示部に表示される文字又は画像の移動量を決定し、前記操作開始位置が前記第２の領域に対応する位置である場合に、前記軌跡の定数倍に応じて前記表示部に表示される文字又は画像の移動量を決定する前記［１］に記載の画像形成装置。
【０００９】
［３］前記表示制御手段は、前記一連の操作として、前記操作開始位置において予め定めた時間移動しない場合に、前記表示部の前記第１の領域及び前記第２の領域に文字又は画像を表示する前記［２］に記載の画像形成装置。
【００１０】
［４］表示部及び操作部を備えたコンピュータを、
前記表示部に文字又は画像を表示する表示制御手段と、
前記操作部に対する一連の操作を検出する操作検出手段と、
前記一連の操作の操作開始位置及び操作終了位置を判定する操作位置判定手段と、
前記一連の操作から前記表示部に表示される文字又は画像の移動量を決定するものであって、前記操作開始位置に基づいて前記表示部に表示される文字又は画像の移動量を変更する移動量変更手段として機能させ、
前記表示制御手段は、前記移動量変更手段による前記移動量に基づいて前記表示部に表示される文字又は画像の表示を制御する画像形成プログラム。
【発明の効果】
【００１１】
請求項１又は４に係る発明によれば、操作の内容に基づき画像情報の表示制御の内容を変更することができる。
【００１２】
請求項２に係る発明によれば、操作の開始位置が第１の領域の場合に文字又は画像の表示位置を軌跡に応じて変更し、第２の領域の場合に文字又は画像の表示位置を軌跡の定数倍に応じて変更することができる。
【００１３】
請求項３に係る発明によれば、操作開始位置において予め定めた時間移動しない場合に第１の領域及び第２の領域に文字又は画像を表示することができる。
【図面の簡単な説明】
【００１４】
【図１】図１は、実施の形態に係る画像形成装置の構成の一例を示すブロック図である。
【図２】図２は、画像情報プレビュー手段により画像情報が表示部に表示される際の表示画面の構成の一例を示す概略図である。
【図３】図３は、表示画面と画像情報との位置関係を説明するための概略図である。
【図４】図４（ａ）及び（ｂ）は、画像形成装置の基本移動動作を説明するための概略図である。
【図５】図５（ａ）及び（ｂ）は、画像形成装置の応用移動動作を説明するための概略図である。
【図６】図６（ａ）−（ｃ）は、画像形成装置の操作ボタン選択動作を説明するための概略図である。
【図７】図７は、画像形成装置の応用表示動作を説明するための概略図である。
【図８】図８は、画像形成装置の動作例を示すフローチャートである。
【発明を実施するための形態】
【００１５】
［実施の形態］
（画像形成装置の構成）
図１は、実施の形態に係る画像形成装置の構成の一例を示すブロック図である。
【００１６】
この画像形成装置１は、プリンタ、コピー、スキャナ等の機能を有する複合機であり、ＣＰＵ等から構成され、各部を制御するとともに、各種のプログラムを実行する制御部１０と、フラッシュメモリ等の記憶媒体から構成され情報を記憶する記憶部１１と、文字や画像等を表示する表示部１２と、表示部１２に重ねて設けられる透明のタッチパッドであって画像形成装置１を操作するための操作部１３と、用紙に印刷を実行する印刷部１４と、紙文書を光学走査して画像情報を生成する光学走査機能部１５と、外部とネットワークを介して通信する通信部１６とを備える。
【００１７】
制御部１０は、後述する画像形成プログラム１１０を実行することで、表示制御手段１００、操作検出手段１０１、操作位置判定手段１０２、軌跡検出手段１０３及び操作信号生成手段１０４等として機能する。
【００１８】
表示制御手段１００は、画像情報１１１を印刷処理する前に表示部１２に拡大・縮小可能に表示する（以下、「プレビュー表示」という。）。また、表示制御手段１００は、入力される操作信号に基づいてプレビュー表示を表示制御する。なお、一例として、表示制御手段１００が画像情報１１１を表示する形態を以降説明するが、画像に限らず、文字からなる文書、文字及び画像からなる文書等の表示可能な書類情報であればいずれをプレビュー表示してもよい。
【００１９】
操作検出手段１０１は、表示制御手段１００が画像情報１１１をプレビュー表示している際に、操作部１３に対する操作者の操作内容を検出する。操作内容としては、操作部１３を操作者の指先等で触る操作（タッチ操作）、触って離す操作（タップ操作）、なぞる操作（ドラッグ操作）、はらう操作（フリック操作）等及びこれらの組み合わせを検出する。
【００２０】
操作位置判定手段１０２は、操作者が触れた操作部１３上の位置を判定する。特に、操作を始めた操作開始位置及び操作を終了した操作終了位置を判定する。
【００２１】
軌跡検出手段１０３は、操作位置判定手段１０２が判定した操作開始位置から操作終了位置の間の軌跡を検出する。
【００２２】
操作信号生成手段１０４は、操作位置判定手段１０２の判定結果及び軌跡検出手段１０３の検出した軌跡に基づいて操作信号を生成し、表示制御手段１００に送信する。なお、操作信号生成手段１０４は、後述する「（１）基本移動動作」及び「（２）応用移動動作」において、画像情報１１１の表示部１２における移動量を変更する移動量変更手段として機能するものである。
【００２３】
記憶部１１は、制御部１０を上述した各手段１００−１０４として動作させる画像形成プログラム１１０、画像情報１１１等を記憶する。
【００２４】
図２は、表示制御手段１００により画像情報１１１が表示部１２に表示される際の表示画面の構成の一例を示す概略図である。
【００２５】
表示画面１２ａは、画像情報１１１をプレビュー表示する領域である第１の領域としての画像表示領域１２０と、画像表示領域１２０以外の領域である第２の領域としての枠外領域１２１と、枠外領域１２１内にあり操作信号を生成するための複数のボタン１２３−１２７を有する操作領域１２２とを有する。
【００２６】
なお、プリントボタン１２３は、操作されることで操作信号生成手段１０４において画像表示領域１２０に表示された画像情報１１１の印刷指示の操作信号を生成する。また、編集ボタン１２４は編集指示の操作信号を生成し、回転ボタン１２５は回転指示の操作信号を生成し、削除ボタン１２６は削除指示の操作信号を生成し、拡大／縮小ボタン１２７は拡大／縮小指示の操作信号を生成するものである。
【００２７】
図３は、表示画面１２ａと画像情報１１１ａとの位置関係を説明するための概略図である。
【００２８】
画像情報１１１ａの元の画像サイズ及び拡大率によって、表示画面１２ａの画像表示領域１２０より画像情報１１１ａのサイズが大きい場合、画像表示領域１２０は、画像情報１１１ａの一部の領域をプレビュー表示する。
【００２９】
以下に説明する動作において、操作部１３に対する操作内容に応じて画像情報１１１ａの画像表示領域１２０に対する相対位置を移動させる例について説明する。
【００３０】
（画像形成装置の動作）
次に、本実施の形態の作用を、（１）基本移動動作、（２）応用移動動作、（３）操作ボタン選択動作、（４）応用表示動作に分けて説明する。
【００３１】
（１）基本移動動作
図４（ａ）及び（ｂ）は、画像形成装置１の基本移動動作を説明するための概略図である。図８は、画像形成装置１の動作例を示すフローチャートである。
【００３２】
まず、操作者２は、移動操作として、図４（ａ）に示すように、指先で画像形成装置１の操作部１３を操作する際に、画像表示領域１２０内を操作開始位置２０とし、図４（ｂ）に示すように、操作終了位置２１まで軌跡Ｓのようにドラッグ操作する。なお、軌跡Ｓは直線であってもよいし曲線であってもよい。
【００３３】
画像形成装置１の操作検出手段１０１が上記操作を検出すると（Ｓ１）、当該操作が長押し操作でない場合（Ｓ２；Ｙｅｓ）、操作位置判定手段１０２は操作開始位置を判定する（Ｓ３）。
【００３４】
操作位置判定手段１０２が、操作開始位置２０が画像表示領域内であると判定した場合（Ｓ４；Ｎｏ）、軌跡検出手段１０３は軌跡Ｓを検出する（Ｓ９）。
【００３５】
次に、操作信号生成手段１０４は、軌跡検出手段１０３が検出した軌跡Ｓに応じて画像情報１１１ａを画像表示領域１２０に対して相対的に移動する操作信号（第１の操作信号）を生成する（Ｓ１０）。つまり、移動量変更手段としての操作信号生成手段１０４は、移動量を軌跡Ｓに追従したものと決定する。当該操作信号は表示制御手段１００に入力される。
【００３６】
次に、表示制御手段１００は、入力された操作信号に基づいて画像情報１１１ａを軌跡Ｓに連動させて同じ方向に同じ距離だけ移動させる（Ｓ８）。
【００３７】
（２）応用移動動作
図５（ａ）及び（ｂ）は、画像形成装置１の応用移動動作を説明するための概略図である。
【００３８】
また、操作者２は、移動操作として、図５（ａ）に示すように、指先で画像形成装置１の操作部１３を操作する際に、画像表示領域１２０の外つまり枠外領域１２１を操作開始位置２２とし、図５（ｂ）に示すように、操作終了位置２３まで軌跡Ｓｏｕｔｅｒのようにドラッグ操作する。
【００３９】
画像形成装置１の操作検出手段１０１が上記操作を検出すると（Ｓ１）、当該操作が長押し操作でない場合（Ｓ２；Ｙｅｓ）、操作位置判定手段１０２は操作開始位置を判定する（Ｓ３）。
【００４０】
操作位置判定手段１０２が、操作開始位置２０が画像表示領域外であると判定した場合（Ｓ４；Ｙｅｓ）、軌跡検出手段１０３は軌跡Ｓを検出する（Ｓ６）。
【００４１】
次に、操作信号生成手段１０４は、軌跡検出手段１０３が検出した軌跡Ｓをα倍しただけ画像表示領域１２０に対して画像情報１１１ａを相対的に移動する操作信号（第２の操作信号）を生成する（Ｓ７）。つまり、移動量変更手段としての操作信号生成手段１０４は、移動量を軌跡Ｓをα倍したものに変更する。当該操作信号は表示制御手段１００に入力される。
【００４２】
次に、表示制御手段１００は、入力された操作信号に基づいて画像情報１１１ａを軌跡Ｓに連動させてα倍した距離だけ移動させる（Ｓ８）。なお、具体的には軌跡Ｓを予め定めた時間間隔で複数の座標点に分割した場合に、各座標点の座標値をα倍して得られた軌跡に連動させる。
【００４３】
（３）操作ボタン選択動作
図６（ａ）−（ｃ）は、画像形成装置１の操作ボタン選択動作を説明するための概略図である。
【００４４】
また、操作者２は、操作ボタンを選択する操作として、図６（ａ）に示すように、指先で画像形成装置１の操作部１３を操作する際に、操作領域１２２内に触れる。
【００４５】
画像形成装置１の操作位置判定手段１０２は、操作開始位置が操作領域上操作開始位置２４であると判定する（Ｓ５；Ｎｏ）。
【００４６】
次に、図６（ｂ）に示すように、操作者２がそのまま指先をスライドさせてドラッグ操作した場合、画像形成装置１の軌跡検出手段１０３は操作終了位置２５までの軌跡を検出し（Ｓ１１；Ｙｅｓ）、操作信号生成手段１０４及び表示制御手段１００は「（２）応用移動動作」と同様に動作する（Ｓ７、Ｓ８）。
【００４７】
また、図６（ｃ）に示すように、操作者２が指先をすぐに離してタッチ操作した場合、画像形成装置１の軌跡検出手段１０３は軌跡を検出せず（Ｓ１１；Ｎｏ）、表示制御手段１００は一例として削除ボタン１２６を選択表示２６とするとともに、操作信号生成手段１０４は削除ボタン１２６に応じた操作信号を生成し（Ｓ１２）、画像形成装置１は当該操作信号に基づいて画像情報１１１の削除操作を実行する（Ｓ１３）。
【００４８】
（４）応用表示動作
図７は、画像形成装置１の応用表示動作を説明するための概略図である。
【００４９】
また、操作者２は、表示操作として、図７に示すように、指先で画像形成装置１の操作部１３を操作する際に操作位置２７とし、長押し操作する。なお、操作位置２７は、画像表示領域１２０でもよいし枠外領域１２１（操作領域１２２を含む）でもよい。
【００５０】
画像形成装置１の操作検出手段１０１が上記長押し操作を検出すると（Ｓ２；Ｎｏ）、操作信号生成手段１０４は画像情報１１１ａを全画面表示する操作信号（第３の操作信号）を生成し（Ｓ１４）、表示制御手段１００は、図７に示すように、枠外領域１２１の表示を透明又は半透明表示にして表示部１２に表示しうる限りの画像情報１１１ａをプレビュー表示する（Ｓ１５）。
【００５１】
［他の実施の形態］
なお、本発明は、上記実施の形態に限定されず、本発明の趣旨を逸脱しない範囲で種々な変形が可能である。第１の領域及び第２の領域の配置は適宜変更可能である。例えば、表示画面１２ａをすべて画像表示領域としてもよく、この場合、外枠から予め定めた幅の領域を第２の領域とし、この領域を操作開始位置とする場合に「（２）応用移動動作」のように動作させてもよい。
【００５２】
また、回転操作について、第２の領域で行われたものは第１の領域で行われたものより回転角度を大きくしてもよい。また、拡大・縮小操作について第２の領域で行われたものは第１の領域で行われたものより拡大率・縮小率を大きくしてもよい。
【００５３】
上記実施の形態では制御部１０の各手段１００〜１０４の機能をプログラムで実現したが、各手段の全て又は一部をＡＳＩＣ等のハードウエアによって実現してもよい。また、上記実施の形態で用いたプログラムをＣＤ−ＲＯＭ等の記録媒体に記憶して提供することもできる。また、上記実施の形態で説明した上記ステップの入れ替え、削除、追加等は本発明の要旨を変更しない範囲内で可能である。
【符号の説明】
【００５４】
１     画像形成装置
２     操作者
１０   制御部
１１   記憶部
１２   表示部
１２ａ 表示画面
１３   操作部
１４   印刷部
１５   光学走査機能部
１６   通信部
２０   操作開始位置
２１   操作終了位置
２２   枠外操作開始位置
２３   枠外操作終了位置
２４   操作領域上操作開始位置
２５   操作終了位置
２６   選択表示
２６   削除ボタン
２７   操作位置
１００ 画像情報プレビュー手段
１０１ 操作検出手段
１０２ 操作位置判定手段
１０３ 軌跡検出手段
１０４ 操作信号生成手段
１１０ 画像形成プログラム
１１１ 画像情報
１１１ａ      画像情報
１２０ 画像表示領域
１２１ 枠外領域
１２２ 操作領域
１２３ プリントボタン
１２４ 編集ボタン
１２５ 回転ボタン
１２６ 削除ボタン
１２７ 縮小ボタン
【図１】
2015022480.tif 000003
【図２】
2015022480.tif 000004
【図３】
2015022480.tif 000005
【図４】
2015022480.tif 000006
【図５】
2015022480.tif 000007
【図６】
2015022480.tif 000008
【図７】
2015022480.tif 000009
【図８】
2015022480.tif 000010